(57)【特許請求の範囲】
【請求項１】
容体と蓋体とからなり、上記容体に設けられた収納溝に可撓管及びライトガイド導通管を有する内視鏡を収納し、上記蓋体により上記収納溝を閉塞する内視鏡用キャリングケースにおいて、
上記収納溝の溝幅は、上記可撓管が当該収納溝に収納される際に嵌合することなく遊びをもって収納されるよう当該可撓管の外径より幅広に形成されており、さらに、上記容体もしくは蓋体のうち少なくとも一方を樹脂製発泡ビーズ材を用いて成形型で融着成形すると共に、上記可撓管を収納する上記収納溝の底面部に、樹脂製発泡ビーズ材の融着境界による凹凸を有する模様が可撓管に転写されるのを防止するための複数の突起を有する転写防止手段を設けたことを特徴とする内視鏡用キャリングケース。
【発明の詳細な説明】
【０００１】
【発明の属する技術分野】
本発明は内視鏡を収納する内視鏡用キャリングケースに関する。
【０００２】
【従来の技術】
従来の内視鏡用キャリングケースは容体と蓋体とから構成され、上記容体には可撓管及びライトガイド導通管を有する内視鏡を収納可能に収納溝が設けられている。そして、上記収納溝に内視鏡を収納して蓋体を閉じることで、内視鏡を保管し、携帯可能とするものである。ところで、これらの内視鏡用キャリングケースの容体や蓋体は特開昭５９−５７６３１号公報に記載のように架橋型発泡ポリエチレンやその他には発泡ポリウレタンの緩衝性を有する材質でできていた。
【０００３】
一方、これとは別に緩衝性を有する材質として、発泡ポリエチレン、発泡ポリプロピレン、発泡ポリスチレン等の樹脂製発泡ビーズ材を成形型で融着成形したものが一般的に知られている。また、これらの樹脂製発泡ビーズ材を用いて成形型で融着成形したものは、一般に上記架橋型発泡ポリエチレンや発泡ポリウレタンという材質で作ったものよりも軽量になることも知られている。
【０００４】
【発明が解決しようとする課題】
しかし、架橋型発泡ポリエチレンや発泡ポリウレタンという材質は、通常射出成形により型成形は困難、もしくは成形費用が高くなるので、押し出し成形で単一断面形状、例えば直方体に成形後、切削加工により二次加工を行って複雑な形状品を作っている。その結果製造コストが高くなるという問題点があった。また、重量が大きくなり携帯、運搬時に不便であった。
【０００５】
一方、樹脂製発泡ビーズ材を用いて成形型で融着成形したものでは、切削加工等の二次加工がなくとも容易に複雑な形状品が成形型で成形でき、また重量も小さく携帯、運搬に便利である。しかし、これらの樹脂製発泡ビーズ材で融着成形されたものの表面には図１３に示すような形状で樹脂製発泡ビーズの融着境界５１や発泡ビーズ内部５２が表出しており、融着境界５１が発泡ビーズ内部５２より硬度が高くなっている。
【０００６】
これらの樹脂製発泡ビーズ材で融着成形された容体や蓋体でできた内視鏡用キャリングケースに内視鏡を収納した場合、内視鏡用キャリングケースの容体の収納溝もしくは蓋体を容体に閉塞したときに収納溝に対向する位置の蓋体の表面は内視鏡の各部位の自重により押圧されて樹脂製発泡ビーズ材の有する弾性により弾性変形して内視鏡を支持する。
【０００７】
そのため特に内視鏡の可撓管やライトガイド導通管という軟性の外表面は容体の収納溝や蓋体の表面に押圧接触するが、融着境界５１が発泡ビーズ内部５２より硬度が高いので、この状態である程度以上の大きな衝撃力が上記内視鏡キャリングケースに加わった場合、衝撃力を分散できなくなり、硬度の高い融着境界５１はこの衝撃力をそのまま反力として可撓管やライトガイド導通管を押圧するため、融着境界５１の形状が可撓管やライトガイド導通管の軟性の外表面に凹凸を有する模様として転写されることがあった。
【０００８】
一方、可撓管やライトガイド導通管以外の部分例えば操作部やコネクタ部の外表面は硬質のプラスチック樹脂で成形されているので凹凸を有する模様として転写されることがない。ここで可撓管やライトガイド導通管に融着境界５１の形状が凹凸を有する模様として転写されると外観上の品位が低下するだけでなく、特に患者体内に挿入される可撓管では体内に挿入しにくくなるという操作性の問題点及び患者に苦痛を強いる問題点があった。
【０００９】
本発明は上述した点に鑑みてなされたもので、製造コストが低く、また軽量で携帯、運搬に便利で、なおかつ収納する内視鏡に外観上の品位の低下を及ぼさず、体内への挿入性を損なわない内視鏡用キャリングケースを提供することを目的とする。
【００１０】
【課題を解決するための手段】
本発明による内視鏡用キャリングケースは、容体と蓋体とからなり、上記容体に設けられた収納溝に可撓管及びライトガイド導通管を有する内視鏡を収納し、上記蓋体により上記収納溝を閉塞する内視鏡用キャリングケースにおいて、上記収納溝の溝幅は、上記可撓管が当該収納溝に収納される際に嵌合することなく遊びをもって収納されるよう当該可撓管の外径より幅広に形成されており、さらに、上記容体もしくは蓋体のうち少なくとも一方を樹脂製発泡ビーズ材を用いて成形型で融着成形すると共に、上記可撓管を収納する上記収納溝の底面部に、樹脂製発泡ビーズ材の融着境界による凹凸を有する模様が可撓管に転写されるのを防止するための複数の突起を有する転写防止手段を設けたことを特徴とする。
【００１１】
【発明の実施の形態】
以下、図面を参照して本発明の実施の形態を具体的に説明する。
（第１の実施の形態）
図１ないし図１０は本発明の第１の実施の形態に係り、図１は本発明の全体図を示す。図２は容体と蓋体を閉塞するように外カバーを閉じた場合の図１のＡーＡ線断面図を示し、図３、６、７、８、９は転写防止手段の拡大詳細図を示し、図４、１０はファイバースコープにアダプタを装着する図を示し、図５は図１のＢーＢ線断面図を示す。
【００１２】
図１に示すように、本発明の第１の実施の形態の内視鏡用キャリングケース１は、略直方体形状の容体２と、この容体２の開口部端面３を閉塞可能な略等しい面積の開口部端面４を有する同じく略直方体形状の蓋体５との二分割の部材で構成されている。
【００１３】
この容体２と蓋体５はそれぞれ軽量で緩衝性のある樹脂製発泡ビーズ材、例えば４５倍程度の発泡ポリプロピレンビーズを用いて型成形により融着成形されている。この容体２と蓋体５は同じく軽量で緩衝性のある３０倍程度の発泡ポリエチレンでも構わない。
【００１４】
また容体２と蓋体５は、硬質の樹脂でそれぞれ成形された外カバー６、７により、図２に示すようにそれぞれ開口部端面３、４近傍のみサイズを小さくした外カバー６の挟持部３７と外カバー７の挟持部３８に、それぞれ密に嵌め込んで抱持或いは圧接して支持されている。外カバー６、７はその対応する一側辺同志が蝶番８によって連結されることにより、いわゆるアタッシュケースの構造と同じように開閉できるようになっている。
【００１５】
また、容体２と蓋体５の厚さ寸法の和ｔ１と、外カバー６と外カバー７の深さ寸法の和ｔ２の関係は
ｔ１≧ｔ２
となっている。
【００１６】
従って、図２に示すようにこの容体２の開口部端面３を蓋体５の開口部端面４で閉塞するように外カバー６と外カバー７を閉じた状態では、外カバー６と外カバー７の深さ寸法の和ｔ２となるように、容体２と蓋体５は押しつけられて密着し、携帯時等に衝撃や振動等が加わっても容体２と蓋体５に形成された収納溝に収納される収納物が飛び出すのを防止できるようにしている。
なお、図１に示すように容体２側の外カバー６の外側面部には携帯するときに把持するための取っ手９が取り付けられている。
【００１７】
また、上記容体２の開口部端面３には軟性の内視鏡挿入部を形成する可撓性の可撓管１０と、照明光を伝送するライトガイドが挿通（或いは導通）され、可撓性を有するライトガイド導通管１１と、可撓管１０とライトガイド導通管１１を接続し、湾曲ノブなどが設けられた操作部１２と、ライトガイド導通管１１の末端に設けられたコネクタ部１３とを有する電子内視鏡１４を収納する内視鏡用収納溝１５と、電子内視鏡１４の図示せぬ鉗子チャンネルに挿通して処置を行うための図示せぬ長尺の処置具や同じく図示せぬ色々な大きさと形状の洗滌具等の多種多用な付属品を同時に収納可能な付属品用収納溝１６が上記成形型を用いた融着成形で設けられている。
【００１８】
この付属品用収納溝１６は多種多用な付属品それぞれに専用の大きさの溝ではなく、まとめて収納可能な大きさの溝として設けられている。内視鏡用収納溝１５は可撓管１０、ライトガイド導通管１１、操作部１２、コネクタ部１３それぞれに対応する可撓管用収納溝１７、ライトガイド導通管用収納溝１８、操作部用収納溝１９、コネクタ部用収納溝２０とから構成される。
【００１９】
可撓管用収納溝１７とライトガイド導通管用収納溝１８は部分的に重複しており、可撓管１０とライトガイド導通管１１は部分的に同じ溝内に収納される。この可撓管用収納溝１７には直線部から曲線部に移行する部分に、可撓管１０の先端に設けられた先端部３５を収納するための先端用収納溝３４が少なくとも１つ設けられている。
【００２０】
また、可撓管用収納溝１７の底面部には全面積にわたり、可撓管用収納溝１７の溝内面の凹凸が収納された可撓管１０に転写するのを防止する転写防止手段２１が一体的に成形されている。この転写防止手段２１はその拡大図である図３に示すように、溝幅Ｗが約１５ｍｍの可撓管用収納溝１７の底面部には一辺ｓが約１ｍｍの略正方形で高さｈが約０．５ｍｍの略四角錐形状からなる突起２２が約０．５ｍｍの間隔ｄで一体的に略格子状に配列成形されて形成されている。
【００２１】
また、蓋体５の開口端面４における可撓管用収納溝１７に対向する部分にも同様に転写を防止する転写防止手段２１が設けられており、大きな衝撃力が内視鏡用キャリングケース１に加わった場合でも転写防止手段２１自体の弾性変形により衝撃力を分散し、可撓管１０に凹凸などの模様が転写されることを防止できるようにしている。
【００２２】
上記突起２２の形状は図３に示す四角錐のものに制限されず、図６に示すように五角錐等の多角錐や図７に示すように円錐でも構わない。また、同じく錐形でけに制限されず他の形状のものでも構わない。例えば、図８に示すように突起２２の頂上部が略球面の一部を形成する形状でも良いし、また図９に示すように頂上部が平面部状となる突起２２のものでも構わない。
【００２３】
また、突起２２の寸法や配列間隔の寸法も上記図３、図６〜図９に制限されるものでない。なお、転写防止手段２１は可撓管用収納溝１７の底面部及び蓋体５の開口端面４における可撓管用収納溝１７に対向する部分だけに設けたものに限定されるものでなく、さらにライトガイド導通管用収納溝１８の底面部及び蓋体５の開口端面４におけるライトガイド導通管用収納溝１８に対向する部分にも設けても良い。
また、内視鏡用収納溝１５全てに設けても良く、また開口部端面３全体に設けても良い。同じく開口部端面４全体に設けても良い。また、これらの一部などに設けても良い。
【００２４】
なお、可撓管用収納溝１７の溝幅Ｗは約１５ｍｍとして、可撓管１０の外径よりは幅広に形成してある。また、ここでは内視鏡用収納溝１５に電子内視鏡１４を収納する場合を述べたが、図４に示すように、電子内視鏡１４の代わりにファイバスコープ２３を収納しても良い。
【００２５】
この場合、ファイバスコープ２３のコネクタ部１３′は電子内視鏡１４のコネクタ部１３に比べて小さいので、図１０に示すように開口部端面３や蓋体５と同じく緩衝性のある４５倍程度の発泡ポリプロピレンビーズ等の樹脂製発泡ビーズ材を用いた型成形によりコネクタ部用収納溝２０の幅と深さを略等しい大きさの略直方体に融着成形されたアダプタ２４をコネクタ部１３′端部のライトガイド口金４０と送気口金４１に挿入してファイバスコープ２３のコネクタ部１３′に装着してコネクタ部用収納溝２０に収納する。
なお、ファイバスコープ２３は操作部１２の後端に接眼部４５が設けてある。その他は電子内視鏡１４とほぼ同様の外形であり、同じ符号で示している。
【００２６】
また、容体２の開口部端面３の内視鏡用収納溝１５に電子内視鏡１４もしくはファイバスコープ２３が収納された場合、開口部端面３からは電子内視鏡１４もしくはファイバスコープ２３の一部、例えば操作部１２やコネクタ部１３、１３′の一部が突出するように内視鏡用収納溝１５は深さを設定している。
【００２７】
そして、図１に示すように蓋体５の開口部端面４には容体２の開口部端面３からの突出部、例えば操作部１２やコネクタ部１３の一部に対応するように溝２５が容体２の開口部端面３からの突出部のそれぞれの高さよりも深くなるようにして設けられている。
【００２８】
また、開口部端面４には図５に示すように、緩衝性のある４５倍程度の発泡ポリプロピレンビーズ等の樹脂製発泡ビーズ材を用いて型成形により融着成形された略直方体の押さえ部材２８が嵌入されるように略長方形状に開口した押さえ部材用溝２７が設けられている。
【００２９】
押さえ部材用溝２７はその底面部略長方形状の少なくとも一辺の寸法が開口部端面４で開口部略長方形状の対応する辺の寸法より大きい、いわゆるアンダカット部３０を設けて成形されている。ここでアンダカット部３０は図５に示すように押さえ部材用溝２７の略長方形状開口の上下の辺にあっても押さえ部材用溝２７の略長方形状開口の何れの辺に設けても構わず、またその辺の一部でも構わない。
【００３０】
押さえ部材用溝２７底面には薄い冊子状のもの、例えば取扱説明書２６が収納できる略長方形状に取扱説明書収納溝３３が開口している。また押さえ部材用溝２７は押さえ部材２８によりその上面部３２と蓋体５とが同面で閉塞されるが、押さえ部材２８の底面３１の長辺側寸法または短辺側寸法ｔ４が押さえ部材用溝２７の開口端における対応する寸法ｔ３よりも大きく（つまり、ｔ４≧ｔ３）形成されている。
【００３１】
また、図１に示すように押さえ部材２８には切り欠き部２９が押さえ部材用溝２７から押さえ部材２８を外しやすいように設けられている。また押さえ部材２８の上面部３２には転写防止手段２１が全面に設けてある。
【００３２】
以上のように構成された内視鏡用キャリング１は以下のように作用する。
まず、容体２の内視鏡用収納溝１５に、例えば電子内視鏡１４をそれぞれ可撓管１０、ライトガイド導通管１１、操作部１２、コネクタ部１３に可撓管用収納溝１７、ライトガイド導通管用収納溝１８、操作部用収納溝１９、コネクタ部用収納溝２０を対応させて収納する。
【００３３】
この時、電子内視鏡１４やファイバスコープ２３に多種多用の長さの可撓管１０のものが存在するが、可撓管１０の先端部３５と、この先端部３５の後端、つまり先端部３５の操作部側に形成された湾曲自在の湾曲部３６が可撓管用収納溝１７の曲線部にかかる場合に、そのまま収納すると湾曲部３６に可撓管用収納溝１７の曲線部形状に曲がる癖が付いてしまうことがある。
【００３４】
これを防止するために、本実施の形態では先端部３５と湾曲部３６を直線状に形成した先端用収納溝３４に収納する。また図示せぬ色々な付属品を付属品用収納溝１６に収納し、同時に取扱説明書２６を取扱説明書用収納溝３３に収納して押さえ部材用溝２７に押さえ部材２８を嵌入して上面部３２と蓋体５を同面で閉塞する。
【００３５】
このとき、押さえ部材２８の底面部３１の長辺側寸法または短辺側寸法ｔ４が押さえ部材用溝２７開口部のそれに対応する辺の寸法ｔ３よりも大きく（ｔ４≧ｔ３）形成されているので、押さえ部材２８は発泡ポリプロピレン等の樹脂製発泡ビーズ材の有する弾性により弾性変形しながら押さえ部材用溝２７に嵌入されしっかりと固定される。その上、押さえ部材用溝２７には少なくとも一部分にアンダカット部３０が形成されているのでより強固に固定される。
【００３６】
次に、容体２の開口部端面３を蓋体５の開口部端面４で閉塞するように外カバー６及び７を閉じる。この状態では容体２と蓋体５の厚さ寸法の和ｔ１と、外カバー６及び７の深さ寸法の和ｔ２の関係がｔ１≧ｔ２となっているので、容体２の開口部端面３と蓋体５の開口部端面４は当接もしくは押圧密着している。
【００３７】
こうして内視鏡用キャリングケース１に電子内視鏡１４や付属品が収納され、運搬、保管或いは取っ手９により携帯可能となるが、特に運搬もしくは携帯時には、内視鏡用キャリングケース１の方向によって異なるが、電子内視鏡１４の自重により内視鏡用収納溝１５もしくは開口部端面４が発泡ポリプロピレン等の樹脂製発泡ビーズ材の有する弾性により弾性変形しながら電子内視鏡１４を支持することになる。
【００３８】
特に、内視鏡用収納溝１５の可撓管用収納溝１７もしくは開口部端面４により電子内視鏡１４の可撓管１０が支持される場合、可撓管用収納溝１７もしくは開口部端面４も弾性変形しながら可撓管１０を支持しているが、可撓管用収納溝１７の底面部と開口部端面４には転写防止手段２１が設けられているので、この状態である程度以上の大きな衝撃力が内視鏡用キャリングケース１に加わった場合でも転写防止手段２１自体の弾性変形により衝撃力を分散し、可撓管１０に凹凸などの模様が転写されることを防止できる。
【００３９】
従って、本実施の形態の内視鏡用キャリングケース１は以下の効果がある。    上記のように電子内視鏡１４と図示せぬ色々な付属品を内視鏡用キャリングケース１に収納して運搬もしくは携帯している場合にある程度以上の大きな衝撃力が加わった場合でも、内視鏡用収納溝１５の可撓管用収納溝１７底面部もしくは開口部端面４に設けられた転写防止手段２１自体の弾性変形により衝撃力を分散することができるので凹凸を有する模様が電子内視鏡１４の可撓管１０の外表面に転写することを防止できる。
【００４０】
また、内視鏡用収納溝１５の可撓管用収納溝１７底面部もしくは開口部端面４に転写防止手段２１を突起２２として設けたことにより電子内視鏡１４の可撓管１０に接触する表面に硬度の高い発泡ポリエチレン等の樹脂製発泡ビーズの融着境界が表出すことが少ないので、上記と同じようにこの樹脂製発泡ビーズの融着境界が凹凸を有する模様として電子内視鏡１４の可撓管１０の外表面に転写することがない、もしくは転写されても凹凸が少ないので問題とならない。
【００４１】
このように電子内視鏡１４の可撓管１０に凹凸を有する模様が電子内視鏡１４の可撓管１０の外表面に転写することを実質的に防止できるので、従来内視鏡のキャリングケースの緩衝材に用いられなかった発泡ポリプロピレン等の樹脂製発泡ビーズを用いて型成形より融着成形された緩衝材を用いることができる。
【００４２】
その結果、二次加工が必要ない型成形もしくは型成形と極めて簡単な二次加工で作成されるので製造コストを低減でき、また従来用いられてきた架橋性ポリエチレンや発泡ポリウレタンより上記樹脂製発泡ビーズの比重が一般的に小さくできるので内視鏡用キャリングケース１全体の重量を軽量にできる。
【００４３】
また、容体２の開口部端面３を蓋体５の開口部端面４で閉塞するように外カバー６及び７を閉じた状態で容体２と蓋体５の厚さ寸法の和ｔ１と、外カバー６及び７の深さ寸法の和ｔ２の関係がｔ１≧ｔ２となっているので、容体２の開口部端面３と蓋体５の開口部端面４は当接もしくは押圧密着していて収納しており、衝撃や振動が加わっても電子内視鏡１４や付属品が内視鏡用収納溝１５や付属品用収納溝１６から飛び出すことがなく内視鏡用収納溝１５や付属品用収納溝１６に飛び出し防止手段を設ける必要がない。
【００４４】
また、取扱説明書２６を取扱説明書用収納溝３３に収納して押さえ部材用溝２７に押さえ部材２８を嵌入して上面部３２と蓋体５を同面で閉塞したとき、押さえ部材２８の底面部３１の長辺側寸法または短編側寸法ｔ４が押さえ部材用溝２７開口部のそれに対応する辺の寸法ｔ３よりも大きく（ｔ４≧ｔ３）形成されているので、押さえ部材２８は発泡ポリプロピレン等の樹脂製発泡ビーズ材の有する弾性により弾性変形しながら押さえ部材用溝２７に嵌入され、しっかりと固定され、衝撃や振動が加わっても取扱説明書２６が飛び出すことがない。
【００４５】
その上、押さえ部材用溝２７には少なくとも一部分にアンダカット部３０が形成されているのでより強固に固定され、同じく衝撃や振動が加わっても取扱説明書２６が飛び出すことを防止できる。
【００４６】
また、可撓管用収納溝１７の幅Ｗは約１５ｍｍとしてあり、可撓管１０よりは幅広に成形してあり、可撓管１０が可撓管用収納溝１７から飛び出すのは上記したように容体２の開口部端面３と蓋体５の開口部端面４を当設もしくは押圧密着していることで防止しているので、可撓管用収納溝１７に飛び出し防止手段を設ける必要がない。
【００４７】
また、付属品用収納溝１６は多種多様な付属品それぞれに専用の溝ではなく、まとめて収納可能に設けられいるので、付属品の種類が内視鏡の種類によって異なる場合、例えば電子内視鏡１４とファイバスコープ２３で付属品が異なる場合でも付属品用収納溝１６を新しくする必要がない。
【００４８】
また、電子内視鏡１４の代わりにファイバスコープ２３を収納する場合に、開口部端面３や蓋体５と同じく緩衝性のある４５倍程度の発砲ポリプロピレンビーズ等の樹脂製発砲ビーズ材を用いて型成形により融着成形された電子内視鏡１４のコネクタ部１３の大きさと略等しいアダプタ２４をファイバスコープ２３のコネクタ部１３′に装着してコネクタ部用収納溝２０に収納するようにしたので、電子内視鏡１４のコネクタ部１３に比べて小さいファイバスコープ２３のコネクタ部１３′も、同じコネクタ部用収納溝２０に収納することができ、コネクタ部用収納溝２０を新しくする必要がない。
【００４９】
また、容体２と蓋体５は同じ材質で発砲ポリプロピレンビーズ等の樹脂製発砲ビーズ材を用いて型成形により融着成形されているので、容体２と蓋体５で緩衝性の差がない内視鏡用キャリングケース１を形成できる。
また、発砲ポリプロピレンビーズ等の樹脂製発砲ビーズ材を用いて型成形により融着成形されており、容体２と蓋体５は吸水しないので、洗滌する事が可能となる。
【００５０】
また、容体２と蓋体５は硬質の樹脂で成形された外カバー６、７にそれぞれ開口部端面３、開口部端面４近傍のみ外カバー６の挟持部３７と外カバー７の挟持部３８に密に嵌め込んで抱持されているので、容体２と蓋体５をそれぞれ外カバー６、７に組み付ける場合に小さな力量で組み付けることができ、組み付け易い。
【００５１】
（第２実施の形態）
以下、本発明の第２の実施の形態を図１１と図１２を用いて説明する。
図１１、１２は転写防止手段の拡大詳細図を示す。
【００５２】
本実施の形態は転写防止手段２１を可撓管用収納溝１７の底面部もしくは開口部端面４や上面部３２等と一体的に成形するのではなく、図１１に示すように軽量で緩衝性のある樹脂製発泡ビーズ例えば４５倍程度の発泡ポリプロピレンビーズを用いて型成形により融着成形された転写防止部材３９を可撓管用収納溝１７の底面部もしくは開口部端面４や上面部３２等に接着して構成していることのみ異なる。
【００５３】
この転写防止部材３９は同じく軽量で緩衝性のある３０倍程度の発泡ポリエチレンで成形されても構わない。また、図１２に示すように架橋型発泡ポリエチレンや発泡ポリウレタン等の緩衝性のある平板状のもので転写防止部材３９を構成しても構わない。その他の構成は第１実施の形態と同じであるので省略する。作用もほぼ同じであるので省略する。
【００５４】
効果は第１実施の形態の効果の他に、以下の効果がある。
【００５５】
上記したように電子内視鏡１４やファイバスコープ２３には多種多用の長さの可撓管１０のものが存在するが、可撓管用収納溝１７や開口部端面４の転写防止手段２１が必要な位置もこの長さによって異なってくる。
【００５６】
ここで第２実施の形態の構成によると、多種多様の長さの可撓管１０に対応する転写防止手段２１を転写防止部材３９によって任意の位置に形成できるので容体２や蓋体５の成形型に微少な突起を幾つも作成しなくて済むので型が単純になり、製造コストが低くすることができる。
【００５７】
なお、転写防止手段は可撓管用収納溝１７及び／又はライトガイド導通管収納溝１８の溝内側壁面に設け、携帯時等における内視鏡用キャリングケース１を取っ手９が上部側になるようにした場合にも転写を有効に防止できるようにしたものもでも良い。
【００５８】
また、可撓管用収納溝１７及び／又はライトガイド導通管収納溝１８等の溝の断面形状は例えば図２に示すような長方形のものに限定されるものでなく、例えば底面側が（対向して収納されるライトガイド導通管１１の断面形状に応じて）円形等の曲面形状などでも良いし、蓋体４の開口端面側も（対向して収納される可撓管１０の断面形状に応じて）円形などの曲面形状にして、収納されるライトガイド導通管１１或いは可撓管１０等の外周面との接触面積を広くできるような溝の断面形状にして、衝撃力が加わった場合にも、ライトガイド導通管１１、可撓管１０等の外周面における単位面積当たりに働く力を小さくして転写の発生をより減少させるようにしても良い。
【００５９】
［付記］
１．容体と蓋体とからなり、上記容体に設けられた収納溝に可撓管及びライトガイド導通管を有する内視鏡を収納し、上記蓋体により上記収納溝を閉塞する内視鏡用キャリングケースにおいて、
上記容体もしくは蓋体のうち少なくとも一方が樹脂製発泡ビーズ材を用いて成形型で融着成形されるとともに、少なくとも一部に転写防止手段を設けたことを特徴とする内視鏡用キャリングケース。
【００６０】
（付記１に対する作用）
上記容体もしくは蓋体に二次加工が必要なくなるか、または極めて簡単な二次加工で作成され、なおかつ上記内視鏡用キャリングケースに収納される内視鏡の特に可撓管およびライトガイド導通管表面に樹脂製発泡ビーズの融着境界による凹凸を有する模様が転写しなくなる。
【００６１】
（付記１に対する効果）
付記１によると、内視鏡キャリングケースの容体もしくは蓋体のうち少なくとも一方が樹脂製発泡ビーズ材を用いて成形型で融着成形されるとともに、樹脂製発泡ビーズ材で融着成形された容体もしくは蓋体の少なくとも一部に転写防止手段を設けたので、内視鏡キャリングケースに内視鏡を収納して運搬もしくは携帯している場合にある程度以上の大きな衝撃力が加わった場合でも、内視鏡の可撓管に凹凸を有する模様が転写することがない。よって樹脂製発泡ビーズ材を用いて型成形により融着成形された緩衝材を用いることができるので製造コストを低くすることができ、また軽量化できる。
【００６２】
２．上記樹脂製発泡ビーズ材は発泡ポリプロピレンであることを特徴とする付記１記載の内視鏡用キャリングケース。
（付記２に対する作用）
上記付記１に対する作用と同じ作用が得られる。
（付記２に対する効果）
上記樹脂製発泡ビーズ材に発泡プロピレンを用いることにより、請求項１に対する効果と同様の効果が得られる。
【００６３】
３．上記樹脂製発泡ビーズ材は発泡ポリエチレンであることを特徴とする付記１記載の内視鏡用キャリングケース。
（付記３に対する作用）
上記付記１に対する作用と同じ作用が得られる。
（付記３に対する効果）
上記樹脂製発泡ビーズ材に発泡ポリエチレンを用いることにより、請求項１に対する効果と同様の効果が得られる。
【００６４】
４．上記転写防止手段は上記容体もしくは蓋体のうち少なくとも一部に一体的に成形型で成形された複数の突起からなることを特徴とする付記１又は２又は３記載の内視鏡用キャリングケース。
（付記４に対する作用）
上記容体もしくは蓋体に二次加工が必要なくなるか、または極めて簡単な二次加工で作成される。
【００６５】
なおかつ上記内視鏡用キャリングケースに内視鏡を収納した場合、内視鏡用キャリングケースの収納溝、もしくは蓋体を容体に閉塞したときに収納溝に対向する位置の蓋体は内視鏡の各部位の自重により押圧されて樹脂製発泡ビーズ材の有する弾性により弾性変形して内視鏡を支持するが、ここで、特に内視鏡の可撓管やライトガイド導通管という軟性の外表面も容体の収納溝や蓋体を押圧接触することになるが、ここに上記複数の突起が一体的に成形されていると、上記内視鏡用キャリングケースに大きな衝撃力が加わった場合でも、上記複数の突起自体の弾性変形により衝撃力を分散することができるので可撓管およびライトガイド導通管表面に樹脂製発泡ビーズの融着境界による凹凸を有する模様が転写しなくなる。
【００６６】
（付記４に対する効果）
付記４によると、内視鏡キャリングケースの容体もしくは蓋体のうち少なくとも一方が樹脂製発泡ビーズ材を用いて成形型で融着成形されるとともに、樹脂製発泡ビーズ材で融着成形された容体もしくは蓋体の少なくとも一部に一体的に転写防止手段を複数の突起として成形型で成形したので、内視鏡キャリングケースに内視鏡を収納して運搬もしくは携帯している場合にある程度以上の大きな衝撃力が加わった場合でも、容体の収納溝底面部もしくは蓋体に設けられた転写防止手段自体の弾性変形により衝撃力を分散することができるので、内視鏡の可撓管に凹凸を有する模様が転写することがない。
よって樹脂製発泡ビーズ材を用いて型成形により融着成形された緩衝材を用いることができるので製造コストを低くすることができ、また軽量化できる。
【００６７】
５．上記転写防止手段は上記容体もしくは蓋体のうち少なくとも一部に、上記容体もしくは蓋体と上記収納される内視鏡との間に介挿される緩衝性を有する部材からなることを特徴とする付記１又は２又は３記載の内視鏡用キャリングケース。
（付記５に対する作用）
上記付記４に対する作用と同じ作用が得られる。
（付記５に対する効果）
付記５によると、内視鏡キャリングケースの容体もしくは蓋体のうち少なくとも一方が樹脂製発泡ビーズ材を用いて成形型で融着成形されると共に、樹脂製発泡ビーズ材で融着成形された容体もしくは蓋体のうち少なくとも一部に、容体もしくは蓋体と収納される内視鏡との間に緩衝製を有する部材を転写防止部材として介挿したので請求項４と同じ効果が得られるだけでなく、電子内視鏡やファイバースコープの多種多様の長さの可撓管に対応する転写防止手段を転写防止部材によって任意の位置に形成できるので容体や蓋体の成形型に微少な突起を幾つも作成しなくて済むので型が単純になり、製造コストが低くすることができる。
【００６８】
６．上記転写防止手段は上記容体の収納溝もしくは上記蓋体を上記容体に閉塞したときに上記蓋体の上記容体に対向する位置の少なくとも一部に設けたことを特徴とする付記１から５のいずれかに記載の内視鏡用キャリングケース。
（付記６に対する作用）
上記複数の突起自体の弾性変形により衝撃力を分散することができるので可撓管およびライトガイド導通管表面に樹脂製発泡ビーズの融着境界による凹凸を有する模様が転写しなくなる。
（付記６に対する効果）
付記６によると、容体の収納溝もしくは蓋体を容体に閉塞したときに蓋体の酔いたいに対向する位置の少なくとも一部に転写防止手段を設けたことにより内視鏡の可撓管に接触する表面に硬度の高い発泡ポリエチレン等の樹脂製発泡ビーズの融着境界が表出することが少ないので、上記と同じようにこの樹脂製発泡ビーズの融着境界が凹凸を有する模様として内視鏡の可撓管の外表面に転写することがない、もしくは転写されても凹凸部が少ないので問題とならない。
【００６９】
【発明の効果】
以上説明したように本発明によれば、可撓管を収納するための可撓管収納溝に、転写防止手段を設けているので、容体もしくは蓋体に二次加工の必要がなくなるか、または極めて簡単な二次加工で済み、かつ内視鏡用キャリングケースに収納される内視鏡の特に可撓管及びライトガイド導通管表面に樹脂製発泡ビーズ材の融着境界による凹凸を有する模様が転写されることを防止することができ、挿入性も確保できる。
【図面の簡単な説明】
【図１】本発明の第１の実施の形態の内視鏡用キャリングケースの全体を収納される電子内視鏡と共に示す斜視図。
【図２】電子内視鏡を収納した状態で内視鏡用キャリングケースの構造を示す断面図。
【図３】可撓管用収納溝に形成した転写防止手段の構造を示す斜視図。
【図４】内視鏡用キャリングケースに収納可能なファイバスコープを示す斜視図。
【図５】取扱説明書の収納部の構造を示す断面図。
【図６】図３の第１の変形例における転写防止手段の構造を示す斜視図。
【図７】図３の第２の変形例における転写防止手段の構造を示す斜視図。
【図８】図３の第３の変形例における転写防止手段の構造を示す斜視図。
【図９】図３の第４の変形例における転写防止手段の構造を示す斜視図。
【図１０】ファイバスコープのコネクタ部にアダプタを接続して収納する様子を示す図。
【図１１】本発明の第２の実施の形態の内視鏡用キャリングケースにおける可撓管用収納溝に形成した転写防止手段の構造を示す斜視図。
【図１２】図１１の変形例における転写防止手段の構造を示す斜視図。
【図１３】樹脂製発砲ビーズの融着成形した場合にできる融着境界等を示す図。
【符号の説明】
１…内視鏡用キャリングケース
２…容体
３、４…開口部端面
５…蓋体
６、７…外カバー
８…蝶番
９…取っ手
１０…可撓管
１１…ライトガイド導通管
１２…操作部
１３…コネクタ部
１４…電子内視鏡
１５…内視鏡用収納溝
１６…付属品用収納溝
１７…可撓管用収納溝
１８…ライトガイド導通管用収納溝
１９…操作部用収納溝
２０…コネクタ部用収納溝
２１…転写防止手段
２２…突起
２３…ファイバスコープ
２４…アダプタ
２５…溝
２６…取扱説明書
２７…押さえ部材用溝
２８…押さえ部材
２９…切り欠き部
３０…アンダカット部
３１…底面部
３２…上面部
３３…取扱説明書用収納溝
３４…先端用収納溝
３５…先端部
３６…湾曲部
３７、３８…挟持部
【図１】
0003590181.tif 000002
【図２】
0003590181.tif 000003
【図３】
0003590181.tif 000004
【図４】
0003590181.tif 000005
【図５】
0003590181.tif 000006
【図６】
0003590181.tif 000007
【図７】
0003590181.tif 000008
【図８】
0003590181.tif 000009
【図９】
0003590181.tif 000010
【図１０】
0003590181.tif 000011
【図１１】
0003590181.tif 000012
【図１２】
0003590181.tif 000013
【図１３】
0003590181.tif 000014